(57)【要約】  【課題】  少なくとも、カードの一部を保持するだけでカードの汚れや脱落を好適に抑制し得るファイルを提供する。  【解決手段】透光性を有する表紙の内面にカードを保持し得るポケットを有したファイルであって、前記ポケットのカード挿入口が、前記表紙の開放端以外の方向に開口したものとした。例えば、前記表紙と、この表紙の内面側に溶着された裏当て部材とによって、前記ポケットが構成されている。裏当て部材は、前記表紙の開放端部領域に設けられた外溶着部と、前記カードの大きさに対応させて区成する位置に設けられた区成溶着部を備えている。このようなものであれば、少なくとも、カードの一部を保持するだけでカードの汚れや脱落を好適に抑制し得るファイルを提供することができる。【選択図】図１
2018161793.tif 000002
【特許請求の範囲】
【請求項１】
透光性を有する表紙の内面にカードを保持し得るポケットを有したファイルであって、
前記ポケットのカード挿入口が、前記表紙の開放端以外の方向に開口したものであるファイル。
【請求項２】
前記表紙と、この表紙の内面側に溶着された裏当て部材とによって、前記ポケットが構成されたものであり、
前記裏当て部材が、前記表紙の開放端部領域に設けられた外溶着部と、前記カードの大きさに対応させて区成する位置に設けられた区成溶着部を備えている請求項１記載のファイル。
【請求項３】
前記表紙と、この表紙に一体に設けられ当該表紙の内面側に折り込んで添設された裏当て部材とによって、前記ポケットが構成されたものであり、
前記裏当て部材が、前記カードの大きさに対応させて区成する位置に設けられた区成溶着部を備えている請求項１記載のファイル。
【請求項４】
前記裏当て部材が、前記ポケットを構成する本体シートと、この本体シートに連設され前記表紙の開放端部領域に沿って延びる延出シートとを備えたものであり、
前記延出シートが、前記本体シートとの間に位置する前記区成溶着部の内方端部から前記区成溶着部と略直交する方向に延びる内溶着部を有し、前記延出シートと前記表紙とによって当該表紙の開放端側に開口する付箋貼付部が形成されている請求項２又は３記載のファイル。
【請求項５】
前記外溶着部、前記区成溶着部、及び、前記内溶着部がそれぞれ線状に形成されたものであり、これら溶着部が連続するように略階段状に形成されている請求項２記載のファイル。
【請求項６】
前記付箋貼付部に、付箋を貼るための目印線を設けている請求項４記載のファイル。
【請求項７】
前記内溶着部が、破線状をなす複数の溶着部分を備えたものであり、
前記目印線が、前記複数の溶着部分の内、特定の溶着部分を他の溶着部分と異なった形状にすることにより構成したものである請求項６記載のファイル。
【請求項８】
前記付箋貼付部を構成する前記表紙及び裏当て部材の少なくとも一方に、前記開放端側に開放された切れ込みが設けられている請求項４、６又は７記載のファイル。
【発明の詳細な説明】
【技術分野】
【０００１】
本発明は、オフィス等において好適に使用されるファイルに関する。
【背景技術】
【０００２】
従来から、名刺等のカードを収容し得るポケットを備えたファイルが存在する（例えば、特許文献１を参照）。
【０００３】
従来のものは、表表紙の外面側にポケットを形成していた。このため、カードが汚れたり、カードがポケットから脱落したりすることを抑制するためには、ポケットの大きさがカードの略全部を収容し得る寸法に設定されなければならない。
【先行技術文献】
【特許文献】
【０００４】
【特許文献１】実用新案登録第３０７３２７７号公報
【発明の概要】
【発明が解決しようとする課題】
【０００５】
本発明は、以上のような事情に着目してなされたものであり、少なくとも、カードの一部を保持するだけでカードの汚れや脱落を好適に抑制し得るファイルを提供することにある。
【課題を解決するための手段】
【０００６】
すなわち、本発明は次の構成をなしている。
【０００７】
請求項１に記載の発明は、透光性を有する表紙の内面にカードを保持し得るポケットを有したファイルであって、前記ポケットのカード挿入口が、前記表紙の開放端以外の方向に開口したものであるファイルである。
【０００８】
ここで、「透光性」とは、カードに記載された情報を判読し得る程度に光を透過させ得る性質を意味している。
【０００９】
請求項２に記載の発明は、前記表紙と、この表紙の内面側に溶着された裏当て部材とによって、前記ポケットが構成されたものであり、前記裏当て部材が、前記表紙の開放端部領域に設けられた外溶着部と、前記カードの大きさに対応させて区成する位置に設けられた区成溶着部を備えている請求項１記載のファイルである。
【００１０】
請求項３に記載の発明は、前記表紙と、この表紙に一体に設けられ当該表紙の内面側に折り込んで添設された裏当て部材とによって、前記ポケットが構成されたものであり、前記裏当て部材が、前記カードの大きさに対応させて区成する位置に設けられた区成溶着部を備えている請求項１記載のファイルである。
【００１１】
請求項４に記載の発明は、前記裏当て部材が、前記ポケットを構成する本体シートと、この本体シートに連設され前記表紙の開放端部領域に沿って延びる延出シートとを備えたものであり、前記延出シートが、前記本体シートとの間に位置する前記区成溶着部の内方端部から前記区成溶着部と略直交する方向に延びる内溶着部を有し、前記延出シートと前記表紙とによって当該表紙の開放端側に開口する付箋貼付部が形成されている請求項２又は３記載のファイルである。
【００１２】
請求項５に記載の発明は、前記外溶着部、前記区成溶着部、及び、前記内溶着部がそれぞれ線状に形成されたものであり、これら溶着部が連続するように略階段状に形成されている請求項２記載のファイルである。
【００１３】
請求項６に記載の発明は、前記付箋貼付部に、付箋を貼るための目印線を設けている請求項４記載のファイルである。
【００１４】
請求項７に記載の発明は、前記内溶着部が、破線状をなす複数の溶着部分を備えたものであり、前記目印線が、前記複数の溶着部分の内、特定の溶着部分を他の溶着部分と異なった形状にすることにより構成したものである請求項６記載のファイルである。
【００１５】
請求項８に記載の発明は、前記付箋貼付部を構成する前記表紙及び裏当て部材の少なくとも一方に、前記開放端側に開放された切れ込みが設けられている請求項４、６又は７記載のファイルである。
【発明の効果】
【００１６】
以上説明したように本発明によれば、少なくとも、カードの一部を保持するだけでカードの汚れや脱落を好適に抑制し得るファイルを提供することができる。
【図面の簡単な説明】
【００１７】
【図１】本発明の第一の実施形態を示す斜視図。
【図２】同実施形態における正面図。
【図３】同実施形態における背面図。
【図４】同実施形態における構造説明用の展開図。
【図５】同実施形態における斜視図。
【図６】図２におけるＸ−Ｘ線概略端面図。
【図７】本発明の他の実施形態における構造説明用の展開図。
【図８】同実施形態における構造説明用の展開図。
【図９】同実施形態における部分拡大正面図。
【発明を実施するための形態】
【００１８】
以下、本発明の一実施形態を、図１〜６を参照して説明する。
【００１９】
この実施形態は、本発明を、オフィス等において好適に使用されるクリアーホルダー等と称されるファイルＡに適用したものである。
【００２０】
ファイルＡは、透光性を有した第一のシートである表表紙１と裏表紙２との間に、例えば複数枚の書類を挟み込むことにより、書類を整理し得るものである。ファイルＡは、透光性を有する表紙である表表紙１の内面にカードＣを保持し得るポケット４を有したものである。ポケット４のカード挿入口４１は、表表紙１及び裏表紙２の開放端である側部開放端ｅａ及び上部開放端ｅｂ以外の方向に開口したものとなっている。また、ファイルＡは、第一のシートたる表表紙１と、表表紙１の開放端部領域ｒに配された第二のシートである延出シート３２を備えてなり、表表紙１と延出シート３２との間に複数の付箋Ｐを貼り付け可能な付箋貼付部５を設けている。付箋貼付部５は、表表紙１の開放端である側部開放端ｅａ及び上部開放端ｅｂに開口したものである。
【００２１】
以下、このファイルＡについて詳述する。
【００２２】
ファイルＡは、展開状態において略矩形状をなす略透明な合成樹脂製のシートＢ（図４を参照）を二つ折りにすることにより構成された表表紙１及び裏表紙２と、表表紙１の内面側に添設された合成樹脂製の裏当て部材３とを備えている。表表紙１及び裏表紙２の一端部同士、すなわち、図２における表表紙１及び裏表紙２の各左側の側端部同士は連続しており、折り返された部分に側端の折り返し線部ｓａが設けられている。表表紙１の下端部近傍と裏表紙２の下端部近傍は溶着により接続している。図２における表表紙１の下端縁には、折り返された部分に下端の折り返し線部ｓｂが設けられている。
【００２３】
なお、この明細書において、「透明」とは、狭義の無色透明だけでなく有色透明をも含む概念である。
【００２４】
表表紙１は、略矩形状をなすものであり、その内面にシート状をなす裏当て部材３が溶着されている。表表紙１の開放端部領域ｒは、当該表表紙１の開放端である側部開放端ｅａと、この側部開放端ｅａに略平行な仮想線ｉとの間に位置するものであり、この実施形態では、後述する内溶着部ｍが上述した仮想線ｉ上に設定されている。
【００２５】
裏表紙２は、表表紙１と略同じ大きさに設定された略矩形状をなすものである。この実施形態では、表表紙１の下端縁に、裏表紙２に接続する折り返し片ｈが延設されている。折り返し片ｈは、図３に示すように、表表紙１の内面側に折り返された状態で、下端の折り返し線部ｓｂと略平行に延びる底溶着部ｎにおいて裏表紙２の外面側に接続している。
【００２６】
また、裏表紙２における開放端側のコーナー部２１には、表表紙１における開放端側のコーナー部１１を保持し得る保持シートｆが設けられている。保持シートｆは、略台形状をなしており、裏表紙２の開放端である側部開放端ｅａ及び上部開放端ｅｂに対応する二辺が裏表紙２の内面に溶着されている。
【００２７】
裏当て部材３は、下部に位置しポケット４を構成する本体シート３１と、本体シート３１の上側に連設され表表紙１の開放端部領域ｒに沿って延びる第二のシートである延出シート３２とを備えている。裏当て部材３を有したファイルＡは、裏当て部材３、及び、表表紙１を主体にして、名刺等のカードＣを挿入し得るカード挿入口４１を有したポケット４、及び、後述する複数の付箋Ｐを保持し得る付箋貼付部５を形成したものである。
【００２８】
ポケット４は、表表紙１の内面と裏表紙２の内面との間において側端の折り返し線部ｓａ側に開口したカード挿入口４１を有したものである。ポケット４は、表表紙１と、表表紙１の内面側に溶着された裏当て部材３の本体シート３１とによって構成されている。ポケット４におけるカード挿入口４１は、図２において右側に位置している側部開放端ｅａ、図２において上側に位置している上部開放端ｅｂ、及び、図２において下側に位置している下端の折り返し線部ｓｂとは異なる方向に開口したものとなっている。
【００２９】
ポケット４を形成する裏当て部材３の本体シート３１は、表表紙１の開放端部領域ｒに設けられた上下方向に延びる外溶着部ｇと、カードＣの大きさに対応させて区成する位置すなわちカードＣの上端縁に沿う位置に設けられた左右方向に延びる区成溶着部ｊを備えている。本体シート３１は、外溶着部ｇ、及び、区成溶着部ｊにおいて、表表紙１に溶着されている。つまり、ポケット４のカード収容空間４２は、表表紙１の下端である下端の折り返し線部ｓｂと、この下端の折り返し線部ｓｂと略平行に形成された区成溶着部ｊとの間に形成されている。
【００３０】
続いて、付箋貼付部５について説明する。
【００３１】
付箋貼付部５はポケット４の上側に位置している。付箋貼付部５は、互いに重なり合わないように配された見出しとして機能し得る複数の付箋Ｐを挟み込んで保持し得るものである。付箋貼付部５は、表表紙１の開放端である側部開放端ｅａ側及び上部開放端ｅｂ側に開口し得る形態をなしている。付箋貼付部５は、表表紙１と、表表紙１の内面側に溶着された裏当て部材３の延出シート３２とによって構成されている。
【００３２】
換言すれば、付箋貼付部５は、表表紙１と延出シート３２とを接合する溶着部たる内溶着部ｍよりも開放端である側部開放端ｅａ側に複数の付箋Ｐを貼り付け得る付箋貼付領域５１を形成したものである。付箋貼付領域５１に貼り付けられた複数の付箋Ｐは、表表紙１と延出シート３２との間に挟まれ得るように構成されている。
【００３３】
この実施形態では、図１、図２、及び、図５に示すように、一面側すなわち裏側に粘着剤層ｐ１を設けた二枚の付箋Ｐが、付箋貼付領域５１である裏当て部材３における延出シート３２の内面に上下に重ならないように貼付されている。そして、上下に並び配された二枚の付箋Ｐは、表表紙１と裏当て部材３の延出シート３２との間に挟まれて保持されている。各付箋Ｐの表面には、使用者の任意でインデックスとなり得る表示、例えば、書類のカテゴリーや用途等を示すための語句、或いは、分類作業等に便宜となる記号や図形が表示される。
【００３４】
付箋貼付部５を形成する裏当て部材３の延出シート３２は、本体シート３１との間に位置する区成溶着部ｊの内方端部から当該区成溶着部ｊと略直交する方向、換言すれば、外溶着部ｇに略平行して延びる溶着部たる内溶着部ｍを備えている。
【００３５】
この実施形態においては、外溶着部ｇ、区成溶着部ｊ、及び、内溶着部ｍはそれぞれ複数の溶着部分ｍ１を破線状に配列させたものである。そして、内溶着部ｍは、その溶着部分の一部を利用して、付箋貼付部５に、付箋Ｐを貼るための目印線である特定の溶着部分ｍ２を設けている。すなわち、目印線ｍ２は、複数の溶着部分ｍ１の内、特定の溶着部分ｍ２を他の溶着部分と異なった形状にすることにより構成されている。
【００３６】
具体的には、内溶着部ｍは、略矩形状をなす複数の溶着部分ｍ１を一定のピッチで複数配列させてなるものである。そして、目印線となる特定の溶着部分ｍ２のみを他の溶着部分よりも横長な形状のものとしており、表表紙１の外縁側に突出させている。複数設けられた目印線となる特定の溶着部分ｍ２は略等間隔に配列されている。そのため、上下方向に延びてなる内溶着部ｍは、全体として、複数設けられた特定の溶着部分ｍ２である目印線を目盛りのように機能させた定規状の外観をなしている。そして、使用者は、目印線である特定の溶着部分ｍ２を目安として、インデックス等の目的で付箋Ｐを位置決めし貼り付けることができるようにしてある。
【００３７】
付箋貼付部５を構成する表表紙１及び裏当て部材３の少なくとも一方、この実施形態では、裏当て部材３における区成溶着部ｊの近傍部分に、開放端である側部開放端ｅａ側に開放された切れ込みｚが設けられている。そのため、付箋貼付部５を構成する延出シート３２を表表紙１から離れる方向にめくりやすくなり、裏当て部材３の内面に付箋Ｐを貼り付ける操作を円滑にできるようにしてある。
【００３８】
なお、表表紙１と裏当て部材３とを接合する外溶着部ｇ、区成溶着部ｊ、及び、内溶着部ｍは、それぞれ略直線状に形成されている。これら外溶着部ｇ、区成溶着部ｊ、及び、内溶着部ｍが、順に連続するように配列されており、全体として略階段状に形成されている。
【００３９】
以上に述べたファイルＡであれば、使用者は、表表紙１と裏表紙２とを離間させて表表紙１と裏表紙２との間を拡開させた上で、名刺やＩＤカード等のカードＣを、表表紙１と裏表紙２との間の拡開された空間を通過させた上で、ポケット４のカード挿入口４１に挿入し得るものとなる。このとき、表表紙１と裏表紙２との間の拡開した空間では、使用者は、カードＣを、内側（側端の折り返し線部ｓａ側）から外側（側部開放端ｅａ側）に向かって移動させて、表表紙１の内面に設けられたカード挿入口４１に挿入する操作を行う。かかる操作を経て、カードＣは、ポケット４に保持されることになる。
【００４０】
ポケット４にカードＣを保持した保持状態では、表表紙１が透明であるため、外部からカードＣにおける文字等の記載内容を好適に読み取ることが可能となる。このように、表表紙１の内面側に設けたカード挿入口４１に、カードＣを側部開放端ｅａから比較的離れた側端の折り返し線部ｓａ寄りの位置から側部開放端ｅａ側に向かって動作させて挿入し、当該カードＣをポケット４に保持させるようにしておけば、必ずしもポケット４を大きなものにしておかなくてもカードＣの脱落を防止することができ、適切な位置に保持することが可能となる。
【００４１】
この実施形態では、カードＣの下縁部を、表表紙１における下端の折り返し線部ｓｂにおいて全体的に下側から支持し得るように構成している。このため、ポケット４のカード収容空間４２が、カードＣの左右方向寸法よりも短く設定されたものであっても、カードＣの脱落を好適に抑制し得るものとなっている。
【００４２】
また、裏当て部材３が、ポケット４を構成する本体シート３１と、付箋貼付部５を構成する延出シート３２とを有した単一のシート状の部材により作られているため、製造時における部品点数を無理なく削減することができる。なお、詳しくは後述する他の実施形態（図７〜９）に示すように、裏当て部材３が、表紙１と一体に構成されたものであり、外溶着部ｇを設けないように構成したものであってもよい。
【００４３】
以上説明したように、本実施形態に係るファイルＡは、透光性を有する表紙たる表表紙１の内面にカードＣを保持し得るポケット４を有したものである。そして、ポケット４のカード挿入口４１が、表表紙１の開放端である側部開放端ｅａ及び上部開放端ｅｂ以外の方向に開口したものである。このため、カードＣの一部を保持するだけでカードＣの汚れや脱落を好適に抑制し得るファイルＡを提供することができるものとなる。
【００４４】
表表紙１と、表表紙１の内面側に溶着された裏当て部材３とによって、ポケット４が構成されている。そして、裏当て部材３が、表表紙１の開放端部領域ｒに設けられた外溶着部ｇと、カードＣの大きさに対応させて区成する位置に設けられた区成溶着部ｊとを備えている。このため、表表紙１に裏当て部材３を溶着することにより、所定のポケット４を形成し得るものとなっている。
【００４５】
裏当て部材３が、ポケット４を構成する本体シート３１と、この本体シート３１に連設され表表紙１の開放端部領域ｒに沿って延びる延出シート３２とを備えている。そして、延出シート３２が、本体シート３１との間に位置する区成溶着部ｊの内方端部から区成溶着部ｊと略直交する方向に延びる内溶着部ｍを有し、延出シート３２と表表紙１とによって当該表表紙１の開放端である側部開放端ｅａ側に開口する付箋貼付部５が形成されている。このため、複数の付箋Ｐを利用してインデックスを設ける柔軟性に優れたインデックス表示システムを好適に実現し得るものとなっている。
【００４６】
外溶着部ｇ、区成溶着部ｊ、及び、内溶着部ｍがそれぞれ線状に形成されたものであり、これら溶着部が連続するように略階段状に形成されている。このため、各溶着部ｇ、ｊ、ｍによって表出される外観が好適なものとなるだけでなく、各溶着部ｇ、ｊ、ｍが、カードＣや付箋Ｐにおける基本的な形状である四角形の外縁に略平行に沿った好適な姿勢をなしたものとなる。
【００４７】
付箋貼付部５に、付箋Ｐを貼るための目印線である特定の溶着部分ｍ２を設けている。このため、使用者は、付箋貼付部５において付箋Ｐを目印線である特定の溶着部分ｍ２を参照して整然とした姿勢に貼り付け得るものとなる。
【００４８】
内溶着部ｍが、破線状をなす複数の溶着部分ｍ１を備えている。そして、目印線が、複数の溶着部分ｍ１の内、特定の溶着部分ｍ２を他の溶着部分と異なった形状にすることにより構成したものである。このため、目印線である特定の溶着部分ｍ２を、内溶着部ｍを形成する過程において効率よく設定し得るものとなっている。
【００４９】
付箋貼付部５を構成する裏当て部材３に、開放端側に開放された切れ込みｚが設けられている。このため、裏当て部材３の内面に付箋Ｐを貼りやすいものとなっている。
【００５０】
なお、本発明は、以上に詳述した実施形態に限られるものではない。
【００５１】
以上説明した実施形態では、裏当て部材を表表紙と別体に構成した場合について説明したが、裏当て部材と表表紙とを単一シートにより一体に構成してもよい。
【００５２】
ここで、図７〜９に示すものは、他の実施形態であるファイルＡを示している。なお、当該他の実施形態において、上述した実施形態と同一又は対応する構成については、上述した実施形態において使用した符号と同一の符号を付して説明するものとし、詳細な説明を省略する。
【００５３】
このファイルＡは、表表紙１と、表表紙１に一体に設けられ当該表表紙１の内面側に折り込んで添設された裏当て部材３とによって、ポケット４が構成されたものである。裏当て部材３は、カードＣの大きさに対応させて区成する位置に設けられた区成溶着部ｊを備えている。
【００５４】
詳述すれば、ファイルＡは、図７の展開図に示すように、裏当て部材３、表表紙１、及び、裏表紙２が、透光性を有する合成樹脂製の単一シートＴにより一体に構成されている。ポケット４、及び、付箋貼付部５を有したファイルＡは、例えば次のようにして作られる。まず、図７に示す展開状態から、裏当て部材３を表表紙１の内面側に折り返す。これにより裏当て部材３と表表紙１との間には、ポケット４の奥端部を構成する開放端側の折り返し線部ｓｃが作られる。次いで、裏当て部材３を、区成溶着部ｊ、及び、内溶着部ｍにおいて、表表紙１の内面に溶着する（図８）。続いて、裏表紙２を、表表紙１の内面側に折り返すとともに表表紙１の下端に設けられた折り返し片ｈを裏表紙２の外面に添接する。しかる後に、表表紙１の折り返し片ｈを、裏表紙２の外面に溶着する（図９）。
【００５５】
以上のようにして、カードＣを保持し得るポケット４、及び、複数枚の付箋Ｐを挟み込んで保持し得る付箋貼付部５を有したファイルＡが作られる。このようなものであっても所期の目的を達成し得るものとなる。しかも、単一シートＴからポケット４及び付箋貼付部５を有したファイルＡを形成し得るものとなるため、部品点数の削減に寄与し得るとともに溶着箇所を無理なく減少させ得るものとなっている。
【００５６】
その他本発明における各部の具体的構成については、上記実施形態に限られるものではなく、本発明の趣旨を逸脱しない範囲で種々変形が可能であることはいうまでもない。
【００５７】
表紙とは、表表紙に限られるものではなく、裏表紙であってもよい。
【００５８】
ポケットは、上述した実施形態では表表紙の内面における下端部に設けられていたが、このようなものに限られない。すなわち、ポケットは、表紙の内面であれば、どのような位置に設けられたものであってもよい。
【００５９】
ポケットの大きさは、カード全体を収容し得る大きさに設定してもよいのはもちろんである。
【００６０】
上述した実施形態では、ポケットに隣接させて付箋貼付部が並設されていたが、このようなものに限られるものではない。しかしながら、上述した実施形態のように裏当て部材にポケットを構成するシート部分と付箋貼付部を構成するシート部分とを一体に設けたものであれば、部品点数の増加を招くことなしに付箋溶着部を設けることが可能である。
【００６１】
付箋貼付部における目印線は、種々の方法で設けることができるものであり、上述したような内溶着部の形態により実現したものに限定されるものではない。例えば、目印線は、印刷により設けたものであってもよい。
【００６２】
付箋貼付部への付箋の貼りやすさを補助し得る切れ込みは、表紙のみに設けたものであってもよいし、表紙及び裏当て部材の双方に設けたものであってもよい。
【００６３】
その他、各部の具体的構成についても上記実施形態に限られるものではなく、本発明の趣旨を逸脱しない範囲で種々変形が可能である。
【符号の説明】
【００６４】
１…表表紙（表紙）
２…裏表紙
３…裏当て部材
４…ポケット
５…付箋貼付部
４１…カード挿入口
Ａ…ファイル
Ｃ…カード
Ｐ…付箋
【図１】
2018161793.tif 000003
【図２】
2018161793.tif 000004
【図３】
2018161793.tif 000005
【図４】
2018161793.tif 000006
【図５】
2018161793.tif 000007
【図６】
2018161793.tif 000008
【図７】
2018161793.tif 000009
【図８】
2018161793.tif 000010
【図９】
2018161793.tif 000011